(57)【要約】      （修正有）【課題】構成部品点数が減少し、堅牢性に優れた二段階開放型扉ロックハンドル装置を提供する。【解決手段】ロックシャフト３に錠止部材４を突設し、ロック受座６のロック孔７の孔縁部に切欠部８を設け、ロック受座６に装備したラッチ体９を切欠部８の方向に移動付勢し、ロックシャフト３の中問部側面を円弧面部３ａと平坦面部３ｂとで構成し、ハンドル２を開位置に回転付勢する。錠止部材４がロック受座６に係合して扉１がロックされているとき、ラッチ体９がロックシャフト３の円弧面部３ａに当接する。ハンドル２を開位置に回したとき、錠止部材４が切欠部８に重なる位置まで移動し、ラッチ体９がロックシャフト３の平坦面部３ｂに当接する。ハンドル２を引くと、ロックシャフト３がロック孔７から一定長さ引き出されて、ラッチ体９が平坦面部３ｂの先端部のストッパー壁１１に係合して、扉１は部分開放位置に保持される。【選択図】図６
2007120099.tif 000002
【特許請求の範囲】
【請求項１】
開位置と閉位置の間で回転するハンドル２を扉１の正面側に装着し、前記ハンドル２に連結されて前記扉２の前後方向に伸びるロックシャフト３の中間部側面に錠止部材４を突設し、固定枠体５に装着したロック受座６に前記ロックシャフト３が出入りするロック孔７を設け、前記ロック孔７の孔縁部に前記錠止部材４が通り抜ける切欠部８を設け、ラッチ体９を前記ロック孔７と一部重なるように前記ロック受座６に装備し、前記ラッチ体９をバネ部材１０によって前記切欠部８の方向に移動付勢し、前記ロックシャフト３の中間部側面を円弧面部３ａと平坦面部３ｂとで構成し、前記平坦面部３ｂの先端部にストッパー壁１１を立ち上げ、前記ハンドル２を前記錠止部材４が前記切欠部８と整列する開位置に向けて別のバネ部材１２によって回転付勢してあり、
前記錠止部材４が前記ロック受座６の裏面に係合することによって、前記扉１を前記固定枠体５に対して密閉状態にロックしているとき、前記ラッチ体９を前記ロックシャフト３の前記円弧面部３ａによって押しており、
前記ハンドル２を開位置に回したとき、前記錠止部材４が前記切欠部８の裏面側に重なる位置まで回転移動する一方、前記ラッチ体９が前記ロックシャフト３の前記平坦面部３ｂに当接して、前記ストッパー壁１１と係合可能な待機位置に移動しており、
当該待機位置において前記ハンドル２を前方に引くことによって、前記ロックシャフト３が前記ロック孔７から一定長さ引き出されて、前記錠止部材４が前記切欠部８を抜け出る一方、前記ラッチ体９が前記ストッパー壁１１に係合することによって、前記扉１が部分的に開放された位置に保持されるようにした二段階開放型扉用ロックハンドル装置。
【発明の詳細な説明】
【技術分野】
【０００１】
本発明は、業務用スチームオーブン等において扉の開閉に使用される扉用ロックハンドル装置に関するものである。
【背景技術】
【０００２】
従来の扉用ロックハンドル装置では、扉の正面側に装着してあるハンドルを手前に引くことによって固定枠体に対する扉の錠止が完全に解除され、扉が直ちに全面開放される機構になっている。そのため、スチームオーブンの扉に装着し、加熱調理の終了直後に扉を全開した場合、オーブン内の蒸気がオーブンの前面開口部から一気に噴出して調理者の顔面に直接的に吹き当たり、熱傷などの事故を招く危険性がある。
【０００３】
このような問題点を解決するために、扉の開放操作を二段階に分けて行ない、扉を少しだけ開いた最初の段階で蒸気を扉の周辺部から逃がし、その後に扉を全面開放するようにした二段階開放型扉用ロックハンドル装置が提案されている（特許文献１参照）。
【０００４】
しかしながら、この二段階開放型ロックハンドル装置は、固定枠体に固着される受金具と；扉に固着される固定ケースと；扉前面に対して直角な面内において引起し回転されるように第１枢軸によって中間部を前記固定ケースに枢着され、第１バネ部材によって倒伏一へ復帰付勢されたハンドルと；前記固定ケースに固設され、軸受板部を扉前面に向かって突設したベース板と；扉前面に対して直角な面内において揺動回転するように第２枢軸によって基端部を前記軸受板部に枢着され、第２バネ部材によって復帰付勢されたロックレバーと；前記ハンドルの先端部に固設され、前記ロックレバーを押圧する駆動突起とから成り、前記ロックレバーの先端部には第１フック部と第２フック部を設けてあり、前記第１フック部は、前記ハンドルが倒伏位置にあるとき、前記受金具のロック棒に係合して前記扉を前記固定枠体に対して錠止する一方、前記第２フック部は、前記ハンドルが引起されたとき、前記ロック棒の背後に入り込むものであり、前記第２フック部は前記第１フック部よりも前記扉側に突出し、両者間に遊び空間が設けられているものである。
【０００５】
このように構成されている従来装置では、機構的に複雑であり、構成部品点数が多いため製作加工コストの節減が困難であるとともに、扉全閉時の錠止、錠止解除後の扉の部分開放、部分開放位置における扉の一時拘束、一時拘束の解錠後の扉の全面開放といった一連の作動は、厳密に特定されている構成部品間の位置関係と構成部品の特有の形状設定に依拠してなされるものであるため、扉や固定枠体に各構成部品を装着するに当たっては、各構成部品間の位置関係を正確に調整する必要があり、装着作業に手間取るものであり、また、乱暴な使用によって第１フック部や第二フック部あるいはロック棒が一定限度以上に歪曲変形したときには、ハンドル操作に連動した扉の錠止と解除が円滑になされないという問題がある。
【０００６】
【特許文献１】特許第２８６９０６０号公報
【発明の開示】
【発明が解決しようとする課題】
【０００７】
本発明の課題は、簡略化された構成により構成部品点数が減少し、製作加工のコストを節減できると共に、装着作業が比較的簡単になされ、多少乱暴な使用にも耐え得る堅牢性を備えたな二段階開放型扉ロックハンドル装置を提供することである。
【課題を解決するための手段】
【０００８】
本発明の二段階開放型扉用ロックハンドル装置は、開位置と閉位置の間で回転するハンドル２を扉１の正面側に装着し、前記ハンドル２に連結されて前記扉２の前後方向に伸びるロックシャフト３の中間部側面に錠止部材４を突設し、固定枠体５に装着したロック受座６に前記ロックシャフト３が出入りするロック孔７を設け、前記ロック孔７の孔縁部に前記錠止部材４が通り抜ける切欠部８を設け、ラッチ体９を前記ロック孔７と一部重なるように前記ロック受座６に装備し、前記ラッチ体９をバネ部材１０によって前記切欠部８の方向に移動付勢し、前記ロックシャフト３の中間部側面を円弧面部３ａと平坦面部３ｂとで構成し、前記平坦面部３ｂの先端部にストッパー壁１１を立ち上げ、前記ハンドル２を前記錠止部材４が前記切欠部８と整列する開位置に向けて別のバネ部材１２によって回転付勢してあり、
前記錠止部材４が前記ロック受座６の裏面に係合することによって、前記扉１を前記固定枠体５に対して密閉状態にロックしているとき、前記ラッチ体９を前記ロックシャフト３の前記円弧面部３ａによって押しており、
前記ハンドル２を開位置に回したとき、前記錠止部材４が前記切欠部８の裏面側に重なる位置まで回転移動する一方、前記ラッチ体９が前記ロックシャフト３の前記平坦面部３ｂに当接して、前記ストッパー壁１１と係合可能な待機位置に移動しており、
当該待機位置において前記ハンドル２を前方に引くことによって、前記ロックシャフト３が前記ロック孔７から一定長さ引き出されて、前記錠止部材４が前記切欠部８を抜け出る一方、前記ラッチ体９が前記ストッパー壁１１に係合することによって、前記扉１が部分的に開放された位置に保持されるようにしたものである。
【発明の効果】
【０００９】
以上のように本発明の二段階開放型扉用ロックハンドル装置は、ハンドル２、ロックシャフト３、錠止部材４、ロック受座６、ラッチ体９、バネ部材１０といったように比較的少数の構成部品によって簡略化された機構に構成されているため、製作加工のコストを節減できると共に、ロックシャフト３の中間部側面の円弧面部３ａと平坦面部３ｂによってロック受座６のラッチ体９が錠止位置または非錠止位置に駆動され、また、前記平坦面部３ｂの先端に立ち上げたストッパー壁１１に前記ラッチ体９が係合することによって、扉１が部分開放状態に保持されるものであるから、操作者が少し乱暴な操作をしても重要な機構部分が歪曲変形して作動の障害を来たすことがなく、堅牢性に優れた扉用ロックハンドル装置が提供される。
【実施例】
【００１０】
図示の実施例では、錠止部材４は、ロックシャフト３の中間部に設けた半径方向の受孔に挿入された固定支軸と、該固定支軸に回転可能に嵌着されたローラ体とによって構成されている。固定枠体５はスチームオーブン本体であり、金属板製のロック受座６はスチームオーブン本体の前面開口部の縁枠板にビスで締付け固着されている。
【００１１】
ハンドル２を回転可能に支持するハンドル受座１３は、図１に示したように扉１の裏面側から挿入されたビス１４によって、扉１の前面に締付け固着されている。図４に示したようにハンドル２の基端筒部１５の外周面から打ち込んだ制止ピン１６は、ハンドル受座１３の外周面に設けた円弧状の制止溝１７に挿入されている。制止ピン１６が制止溝１７の各端面１８，１９に当接することによって、ハンドル２は開位置と閉位置の間で９０度回転するように設定されている。
【００１２】
図１に示したようにハンドル受座１３の軸受孔２０に嵌挿されたロックシャフト３は、断面円形の中間部に形成した環状溝２１に嵌めたＣ−リング２２によって、ハンドル受座１３からの抜取りを阻止されている。ロックシャフト３の前方端部は、ハンドル２の基端筒部１５に挿入され、基端筒部１５の側面方向から打ち込んだセットピン２３によって、ハンドル２に対して回転不能かつ抜取り不能に連結されている。
【００１３】
図４に示したようにロックシャフト３の断面円形の中間部には受動ピン２４が突設され、受動ピン２４は前記軸受孔２０の内周面に形成した弧状受溝２５に挿入されている。弧状受溝２５には別のバネ部材１２として圧縮コイルバネが収容されており、このバネ部材１２が前記受動ピン２４の側面と弧状受溝２５の一方端面２７との間で圧縮されることによって、ロックシャフト３及びハンドル２は開位置に向けて回転付勢されている。組立に当たって、受動ピン２５は前記軸受孔２０の内周面に軸方向に形成され、ハンドル受座１３の裏面に開口した縦溝４０を通って前記弧状受溝２５に挿入される。
【００１４】
図３に示したようにラッチ体９は垂直に配置される金属製の棒材で構成されており、ラッチ体９の上端小径部２８は、ロック受座６の背面に固着される上位ガイド部材２９のガイド孔３０に挿入され、ラッチ体９の下端小径部３１はロック受座６の背面に固着された下位ガイド部材３２のガイド孔３３に挿入されている。前記ガイド孔３０，３３は金属板製のロック受座６の裏面と平行であり、ラッチ体９はロック受座６の裏面と平行に直線移動する。
【００１５】
上位ガイド部材２９の左端部にはバネ受けピン３４が固着されており、線状のバネ部材１０の一方端の環曲部３５がバネ受ピン３４に嵌められている。バネ部材１０の他方端の環曲部３６がラッチ体９の上端小径部２８に嵌められている。バネ受ピン３４と上端小径部２８の先端は圧潰され、バネ部材１０の環曲部３５，３６が抜脱しないようになっている。下位ガイド部材３２の左端部にはバネ受けピン３７が固着されており、線状のバネ部材１０の一方端の環曲部４１がバネ受ピン３７に嵌められている。バネ部材１０の他方端の環曲部４２がラッチ体９の下端小径部３１に嵌められている。バネ受ピン３７と下端小径部３１の先端は圧潰され、バネ部材１０の各端の環曲部が抜脱しないようになっている。
【００１６】
ラッチ体９の上端小径部２８と下端小径部３１が前記ガイド孔３０，３３の右端部に位置しているとき、ラッチ体９はロック受座６のロック孔７の裏面側に重なるように大きく突出している。ハンドル２を閉位置に回すことによって、ロックシャフト３の中間側面部の円弧面部３ａをラッチ体９の側面に当接させ、円弧面部３ａによってラッチ体９の側面を押したとき、ラッチ体９の上端小径部２８と下端小径部３１は前記ガイド孔３０，３３内を左方向に移動する。この移動によって上下２本の線状のバネ部材１０，１０は、前記バネ受けピン３４，３７を支点として撓み変形する。この湾曲した変形状態から直線状態に伸長しようとする弾性復元力によって、ラッチ体９は右向き方向に移動付勢されている。
【００１７】
ハンドル受座１３に対するハンドル２の回転角度制御の方法、ロックシャフト３とハンドル２の回転付勢の方法、及びラッチ体９の移動案内と移動付勢の方法としては、上記したものに限定されず、公知の機構、方法を適宜選択して利用することができる。
例えば、ハンドル２の回転付勢の方法としては、ハンドル受座１３の軸受孔２０の内径を拡大してバネ収容空間を形成し、トーションバネとしてロックシャフト３に嵌合したコイルバネを前記バネ収容空間に収容し、前記コイルバネの一方の端部をロックシャフト３の直径方向に形成したバネ係止孔に挿入固定し、前記コイルバネの他方の端部をハンドル受座１３に形成したバネ係止孔に挿入固定し、ハンドル２の回転によって前記コイルバネを巻き締めるものであり、そのときの弾性復元力がハンドル２を開位置に回転付勢する力として利用される。
【００１８】
図５から図９に基づいて本実施例の二段階開放型扉用ロックハンドル装置の作動順序を説明すると、次の通りである。
図５は、閉鎖された扉１が固定枠体５に対して締付け錠止されている状態の斜視図であり、図示の簡略化のために扉１と固定枠体５は省略してある。この扉閉鎖状態では、閉位置にあるハンドル２は、その握り部分が垂直状態に配置されており、図１に示したようにロックシャフト３は固定枠体５の逃げ孔３８を通ってロック受座６のロック孔７に深く挿入されている。ロックシャフト３の半径方向に突設された錠止部材４は下向きに配置されて、ロック孔７の孔縁部であるロック受座６の裏面に係合しており、ラッチ体９はロックシャフト３の円弧面部３ａに押されて左方向に移動している。
【００１９】
図６は、図５の扉閉鎖状態からハンドル２を開位置に向けて９０度回転させた後、ハンドル２を少し手前に引いた部分開放時の斜視図であり、図示の簡略化のために扉１と固定枠体５は省略してある。
このようにハンドル２を閉位置から開位置に回転して前記握り部を水平に配置したとき、ロックシャフト３の中間部側面とラッチ体９の接触箇所は、円弧面部３ａから平坦面部３ｂに切り替わる。そして、ハンドル２を手前に引くことによって、ロックシャフト３がロック受座６のロック孔７から抜き出され、この過程でラッチ体９と平坦面部３ｂとの接触点は基端側から先端側に移動する。最終段階ではラッチ体９にストッパー壁１１が衝突することによって、ロックシャフト３の抜取りは一定長さに抑制され、扉１の開放は一定角度に限定され、オーブン本体内の蒸気は、扉１の周辺部と固定枠体５の間に画定された横向きの空間から外部に逃げる。そのため、調理者の顔面に蒸気が直接吹き付けられて、熱傷事故などを招くことがない。
【００２０】
前記のようにハンドル２を開位置に回転させたとき、ロックシャフト３も一体に回転するため、ロックシャフト３の錠止部材４はロック受座６のロック孔７の切欠部８の裏面側に整列した位置に回転移動しており、この後、ハンドル２を手前に引いたとき、錠止部材４は切欠部８から前面側に抜け出ることになる。
【００２１】
図７は、前記部分開放状態において蒸気を扉１の周辺空間に漏出させた後、ハンドル２を閉位置に戻し回転させたときの斜視図であり、図示の簡略化のために扉１と固定枠体５は省略してある。
前記戻し回転の最終段階では、ラッチ体９とロックシャフト３の中間部側面との接触箇所は、平坦面部３ｂから円弧面部３ａに移行しており、バネ部材１０の付勢に抗してラッチ体９が左方向に押されている。また、錠止部材４はロック受座６の前面側において下向きに配置されており、錠止部材４は切欠部８から完全に遮断された位置にある。
【００２２】
図８は、図７の部分開放状態からハンドル２を更に手前に引いて、ロックシャフト３の全長さをロック受座６のロック孔７から引き出したときの斜視図であり、図示の簡略化のために扉１と固定枠体５は省略してある。
ロックシャフト３の円弧面部３ａによる押圧から解放されたラッチ体９は、バネ部材１０の付勢によって右方向に移動し、ロック受座６のロック孔７の背面側に大きく突出している。
【００２３】
図９は、図８の状態から扉１を所要角度まで全面開放させた後、ハンドル２から手を離しときの斜視図であり、図示の簡略化のために扉１と固定枠体５は省略してある。
前記握り部から手を離した瞬間に、ハンドル２は内蔵のバネ部材１２の付勢によって開位置に回転し、ロックシャフト３の錠止部材４は、扉１を閉鎖回転したとき、ロック受座６の切欠部８の前面側に整列する位置に移動している。そのため、調理者などの操作者が扉１のどこかを押して扉１を勢い良く閉めたとしても、錠止部材４が前記ロック孔７の周縁部であるロック受座６の前面、あるいは前記逃げ孔３８の周縁部である固定枠体５の前面に衝突して、錠止部材４やロック受座６等が歪曲変形したり損傷することがない。
【００２４】
図９の状態から扉１を閉鎖すると、ロックシャフト３がロック受座６のロック孔７に挿入され、この挿入過程で錠止部材４が前記切欠部８を通ってロック受座６の裏面側に到達する。この挿入の当初段階で、ラッチ体９を左方向に押し退けるために、ロックシャフト３の先端部にはテーパー状のカム部３９が設けられている。
ロックシャフト３の挿入が進行して、ラッチ体９とロックシャフト３との接触箇所が前記カム部３９を乗り越えると、ラッチ体９はバネ部材１０の付勢によって右方向に復帰移動し、ロックシャフト３の平坦面部３ｂに接触する。
【００２５】
扉１を全閉鎖した後、ハンドル２を閉位置に回転させると、図５に示したように錠止部材４がロック受座６の裏面と係合し、パッキング部材２６を圧縮して、扉１を密閉状態に錠止する。
【図面の簡単な説明】
【００２６】
【図１】本発明の一実施例に係る二段階開放型扉用ロックハンドル装置の扉閉鎖状態における要部水平断面図であり、ハンドルは閉位置にある。
【図２】図１の状態からハンドルを開位置へと９０度回転させたときの要部水平断面図である。
【図３】図１の扉用ロックハンドル装置に使用したロック受座におけるラッチ体とガイド部材の斜視図である。
【図４】図１の扉用ロックハンドル装置の要部縦断面図である。
【図５】図１の扉用ロックハンドル装置の扉閉鎖状態の斜視図であり、扉と固定枠体の図示は省略してあり、ハンドルは閉位置にあり、ロックシャフトの錠止部材はロック受座の裏面に係合しており、ラッチ体はロックシャフトの円弧面部に押されている。
【図６】図５の扉閉鎖状態からハンドルを開位置に回転させ、ハンドルを少し手前に引いた部分開放状態の斜視図であり、ロックシャフトの一定長さがロック受座から引き出され、ラッチ体はロックシャフトの平坦面部とストッパー壁に係合している。
【図７】図６の部分開放状態においてハンドルを閉位置に戻し回転させたときの斜視図であり、ラッチ体はロックシャフトの円弧面部に押されている。
【図８】図７の部分開放状態からハンドルを更に手前に引いて、ロックシャフトの全長さをロック受座から引き出したときの斜視図であり、ラッチ体はロック受座のロック孔の背面側に大きく突出している。
【図９】図８の状態から扉を所定角度まで全面開放させた後、ハンドルから手を離しときの斜視図であり、ハンドルは内蔵のバネ部材の付勢によって開位置に回転している。
【符号の説明】
【００２７】
１  扉
２  ハンドル
３  ロックシャフト
３ａ  ロックシャフトの円弧面部
３ｂ  ロックシャフトの平坦面部
４  錠止部材
５  固定枠体
６  ロック受座
７  ロック受座のロック孔
８  ロック孔の切欠部
９  ロック受座のラッチ体
１０  ラッチ体の付勢用バネ部材
１１  ロックシャフトのストッパー壁
１２  ハンドルの付勢用バネ部材
１３  ハンドル受座
１４  ハンドル受座の固着用ビス
１５  ハンドルの基端筒部
１６  基端筒部の制止ピン
１７  ハンドル受座の制止溝
１８  制止溝の端面
１９  制止溝の端面
２０  ハンドル受座の軸受孔
２１  ロックシャフトの環状溝
２２  Ｃ−リング
２３  セットピン
２４  ロックシャフトの受動ピン
２５  ハンドル受座の弧状受溝
２６  パッキング部材
２７  弧状受溝の一方端面
２８  ラッチ体の上端小径部
２９  上位ガイド部材
３０  上位ガイド部材のガイド孔
３１  ラッチ体の下端小径部
３２  下位ガイド部材
３３  下位ガイド部材のガイド孔
３４  上位ガイド部材のバネ受けピン
３５  上位側のバネ部材の一方端の環曲部
３６  上位側のバネ部材の他方端の環曲部
３７  下位ガイド部材のバネ受けピン
３８  固定枠体の逃げ孔
３９  ロックシャフトのテーパー状カム部
４０  縦溝
４１  下位側のバネ部材の一方端の環曲部
４２  下位側のバネ部材の他方端の環曲部
【図１】
2007120099.tif 000003
【図２】
2007120099.tif 000004
【図３】
2007120099.tif 000005
【図４】
2007120099.tif 000006
【図５】
2007120099.tif 000007
【図６】
2007120099.tif 000008
【図７】
2007120099.tif 000009
【図８】
2007120099.tif 000010
【図９】
2007120099.tif 000011